(57)【要約】【課題】吸音機能と防水機能とを併せ持つ空調ダクト又は空調ダクト用部品を提供する。【解決手段】非通気性・防水性を有する外被層１０と、保温性・吸音性を有する中間層２０と、透湿防水性を有するフィルムないしシートにより構成された内被層３０と、を備える。前記フィルムないしシートは、合成樹脂製不織布、合成樹脂フィルム、布帛又は紙類を基材とし、その物性は、透湿抵抗が０．２０ｍ２・ｓ・Ｐa ／μｇ以下であり、かつ防水性が８ｋＰａ以上であるものが好ましい。【選択図】図１
2008281276.tif 000002
【特許請求の範囲】
【請求項１】
非通気性・防水性を有する外被層と、保温性・吸音性を有する中間層と、透湿防水性を有するフィルムないしシートにより構成された内被層と、を備えた空調ダクト又は空調ダクト用部品。
【請求項２】
前記フィルムないしシートは、合成樹脂製不織布、合成樹脂フィルム、布帛又は紙類を基材とする、空調ダクト又は空調ダクト用部品。
【請求項３】
前記フィルムないしシートの物性は、透湿抵抗が０．２０ｍ２・ｓ・Ｐa ／μｇ以下であり、かつ防水性が８ｋＰａ以上である、請求項１又は２に記載の空調ダクト又は空調ダクト用部品。
【発明の詳細な説明】
【技術分野】
【０００１】
本発明は、空調ダクト又は空調ダクト用部品に関する。
【背景技術】
【０００２】
従来の空調ダクトとして、特許文献１には、「筒状に形成されたグラスウール層４の外表面に金属箔５を貼り合わせるとともに、グラスウール層４の内表面には接着層３を介して、金属箔、合成樹脂フィルム、または、織布あるいは不織布などで出来た飛散防止層２を設けた空調用グラスウール製ダクト。」が記載されている（要約）。同特許文献に記載の発明によれば、ダクト内をエアーが通過しても、グラスウール繊維がダクトの吹き出し口から飛散することがない、グラスウールで出来ているため保温性に優れるといった効果が奏される（〔００２８〕）。
しかしながら、接着層３を介して金属箔、合成樹脂フィルム等の飛散防止層２を設けるものであるため、ダクト内の音が飛散防止層２ないし接着層３で遮られ、グラスウール層による吸音機能を良好に発揮させることができないという問題がある。
一方、グラスウール等の中間層の内面に、通気性を有する織布・不織布による内被層を接着層を介さずに設けることにより、グラスウール等の中間層によって吸音機能を発揮させることが考えられる。
しかしながら、この場合、内被層である織布・不織布が通気性を有するため、保温性が低下しやすい。また、内被層は防水性がないため、湿気を含んだ空気が流れたときに発生しやすい凝縮水等が、中間層であるグラスウール等の繊維に含水されて保温性が低下したり、含水した水分の重みでダクトに負荷がかかり破損したりする事態を招くおそれがあるという問題がある。
【０００３】
【特許文献１】特開平８−２１０５８４号公報
【発明の開示】
【発明が解決しようとする課題】
【０００４】
本発明は、上記のような従来技術における問題点を考慮してなされたものであり、吸音機能と防水機能とを併せ持つ空調ダクト又は空調ダクト用部品を提供することを目的とする。
【課題を解決するための手段】
【０００５】
本発明は、上記課題を解決するためになされたものであり、非通気性・防水性を有する外被層と、保温性・吸音性を有する中間層と、透湿防水性を有するフィルムないしシートにより構成された内被層と、を備えた空調ダクト又は空調ダクト用部品である。
ここで、透湿防水性とは、水蒸気は透過するが、水（液体）は、透過しない性質をいう。
空調ダクト用部品とは、空調ダクトと同様、空調配管において空気流通経路の一部としてその途中（出口付近を含む。）に配設される、ダクトと接続される、ダクト以外の部品であって、例えば空気調和装置用チャンバー・ボックス等である。
本発明においては、前記フィルムないしシートは、合成樹脂製不織布、合成樹脂フィルム、布帛又は紙類を基材とするものが好ましい。
また、前記フィルムないしシートの物性は、透湿抵抗が０．２０ｍ２・ｓ・Ｐa ／μｇ以下であり、かつ防水性が８ｋＰａ以上であるものが好ましい。ここで、上記透湿抵抗及び防水性は、ＪＩＳ  Ａ  ６１１１（透湿防水シート）に準拠して測定される値である。
【発明の効果】
【０００６】
本発明に係る空調ダクト又は空調ダクト用部品によれば、透湿防水性を有するフィルムないしシートにより構成された内被層を中間層の内側に備えるため、中間層による吸音性を良好に発揮し得るとともに、防水性を有する内被層によって保温性・吸音性を有する中間層への水の浸入が防止され、含水による中間層の保温性の低下や、破損を避けることができる。
また、前記フィルムないしシートは、合成樹脂製不織布、合成樹脂フィルム、布帛又は紙類を基材とするものである構成により、・・・
また、前記フィルムないしシートの物性は、透湿抵抗が０．２０ｍ２・ｓ・Ｐa ／μｇ以下であり、かつ防水性が８ｋＰａ以上であることによって、良好な透湿機能及び防水機能を発揮することができる。
【発明を実施するための最良の形態】
【０００７】
本発明の実施の形態について、図面を参照して説明するが、本発明は以下の形態に限定されるものではなく、本発明の要旨の範囲で種々の変形、付加等が可能である。
【０００８】
図１は本発明の実施の形態の一例である空調ダクト１を片側断面で示す側面図、図３及び図4は内被層３０と補強部材４５の関係を示す拡大断面図、図４は消音性能評価試験に用いた試験装置を模式的に示す図である。
【０００９】
空調ダクト１は、その断面が円形ないし楕円形のフレキシブルダクトとして構成されており、最外層をなす外被層１０と、外被層１０の内側に設けた中間層２０と、中間層２０の内側に設けた内被層３０とからなっている。
外被層１０は、空調ダクト１の両端部において、中間層２０及び内被層３０の端面を覆って空調ダクト１の内面側に折り返され、ステープラー等によって（図示省略）端部に固定されるようになっている。空調ダクト１の両端部は、ダクトの接合を容易にするための小外径部が形成されているが、必須のものではない。
符号４０は、ダクトのチューブ形状を保持するための補強部材であり、通常、螺旋状に巻かれた亜鉛メッキ鋼線等の線材からなる。補強部材４０は、例えば、中間層２０と内被層３０との間に配置され、内被層３０と接着されるが、内被層３０の内側に配置してもよく、その位置や内被層３０との係合関係は適宜設定し得る。例えば、帯状の内被層３０を螺旋状に巻き回して縁部で重ね合わせて接合するとともに、その接合される重ね合わせ部内に補強部材を位置させて補強部材が内被層に被覆されるようにしてもよい。
外被層１０、中間層２０び内被層３０は、フレキシブルダクトとして構成する場合、フレキシブル性（伸縮性）を確保するため、通常、互いに接着されないが、両端部その他に適宜接着部を設けてもよい。
【００１０】
外被層１０は、非通気性・防水性を有するもので、合成樹脂を基材とする単層あるいは複数層からなる複合フィルムが用いられる。例えば、ポリエチレン、ポリプロピレン、ポリエステル、ポリアミド、ポリ塩化ビニル等の単体からなる、あるいはこれらを適宜組み合わせた複数層からなる熱可塑性樹脂フィルム、さらには、このような熱可塑性樹脂フィルムにアルミニウムを蒸着した複合フィルムやアルミニウム箔（通常７〜２０μｍ）を貼り合わせたフィルムが挙げられる。その厚さは特に限定されるものではないが、通常、０．０１〜０．１ｍｍ程度である。
【００１１】
中間層２０は、保温性・吸音性を有するもので、不燃性の無機質の繊維質材、例えば、グラスウール、ロックウール、セラミックウール等が用いられる。この繊維質材の密度はグラスウールの場合、通常、１６〜２４ｋｇ／ｍ3 程度であるが、これに限定されるものではない。また、この繊維質材からなる中間層２０の厚さは、通常１５〜３０ｍｍであり、良好な保温性・吸音性を発揮させるとともに重量の増加を避けるため、好ましくは２０〜２５ｍｍである。
【００１２】
内被層３０は、透湿防水性を有するフィルムないしシートにより構成されたものが用いられる。
上記フィルムないしシートの物性は、ＪＩＳ  Ａ  ６１１１（透湿防水シート）に準拠して測定される透湿抵抗が０．２０ｍ２・ｓ・Ｐa ／μｇ以下であり、かつＪＩＳ  Ａ  ６１１１（透湿防水シート）に準拠して測定される防水性が８ｋＰａ以上であるものが好ましい。さらに好ましくは、吸音性と防水性をバランスよく両立し得る視点から、透湿抵抗が０．１３〜０．１０ｍ２・ｓ・Ｐa ／μｇであり、かつ防水性が１０〜６０ｋＰａの範囲である。
さらに、上記フィルムないしシートの通気度は、０．１〜５０ｃｍ3／ｃｍ2 ・ ｓｅｃの範囲が好ましい（測定方法：ＪＩＳ  Ｌ  １０９６）。通気性がゼロの場合は吸音しないので吸音性が低下する。
上記透湿防水性を有するフィルムないしシートは、空調ダクト又は空調ダクト用部品の内被層に使用し得る強度を備えたものであればその材料や構造は特に限定されるものではなく、公知の各種透湿防水フィルムないしシートを使用することができる。
例えば、上記物性を備えた合成樹脂製フィルムのほか、合成樹脂製不織布、布帛又は紙類を基材として、これに合成樹脂によるコーティングを施して透湿防水フィルムないしシートとなしたもの、あるいは、上記の基材に合成樹脂製透湿防水フィルムを適宜手段でラミネートしたものなどが挙げられる。
好ましい一例として、強度と軽量化を両立し得る視点から、目付量３０〜５０ｇ／ｍ２  のポリエステル系不織布を基材（補強材）としてこれにポリオレフィン系の透湿防水シートを接着したもの（全面に接着したものではなく、スプレーで接着剤を蜘蛛の巣状に塗布するスプレー工法により接着、又は前記基材に接着性繊維を入れておき熱接着により接着したもの）であって、その厚みが０．１５〜０．５０ｍｍ、さらに好ましくは０．２０〜０．３５ｍｍのものが挙げられる。
【００１３】
なお、前記のような線材による補強部材４０に代えて、図２又は図3に示すような構成を採用することもできる。
図２及び図3に示す補強部材４５は、ダクトの内面側を開口部とするほぼ断面Ｃ字状の、亜鉛めっき鋼板、鉄等の金属製連続性薄板により形成され、このＣ字部分内に内被層３０であるフィルム又はシートが挟み込まれることによって、固定されている。補強部材４５は、例えば厚さ０．３〜１．５ｍｍ程度、幅４〜７ｍｍ程度に形成される。
内被層３０は、所定幅のフィルム又はシートの縁部分が重なり合うように螺旋状に巻き回されて形成され、この重なり合う部分において、補強部材４５のＣ字部分内に内被層３０のフィルム又はシートが挟み込まれるとともに、さらに内被層３０の内面側から補強部材４５のＣ字部分内に抜け防止用の線部材４６が挿入されることにより、補強部材４５と内被層３０とが一体化されている。
線部材４６がＣ字部分内に挿入され、係止されることにより、補強部材４５が内被層３０をしっかりと噛み、補強部材４５が内被層３０から外れにくくなる。線部材４６は、通常、鉄線、亜鉛めっき鋼線等、弾性を有する金属材あるいはナイロンその他の合成樹脂材により構成される。その太さは、０．３〜１．５ｍｍ程度である。
【００１４】
また、図３に示す例では、内被層３０は、全体として、所定幅のフィルム又はシートの縁部分を重なり合うように螺旋状に巻き回されて形成されてはいるが、所定幅のフィルム又はシートの一方の縁部分が線部材４６をくるんで外面に折り返され、折り返し部分３０ａを形成しており、この折り返し部分３０ａの上（外面）に、内被層の他方の縁部分が重ね合わせられて、螺旋状に巻き回されており、縁部分が重ね合わせられた状態で、内被層３０と線部材４６とが、補強部材４５のＣ字部分内に挟み込まれ、これにより補強部材４５と内被層３０とが一体化されている。
【００１５】
以上、空調ダクト１について説明したが、空調ダクト１の断面形状は、円形、楕円形に限られず、矩形その他任意形状の管状体となし得、また直管形状のほか、屈曲管等にも適用し得る。
また、空調ダクトのほかに、空調ダクト用部品、例えばチャンバー・ボックス等にも適用し得る。チャンバー・ボックスの場合、外被層は、筐体を形成する鋼板などの金属材料によって形成することができる。中間層及び内被層の構成は、前記の空調ダクトと同様の構成を採用し得るので、その説明は省略する。
【実施例】
【００１６】
本発明に係る空調ダクトの吸音性を評価すべく、消音性能評価試験を行った。
試験方法は、図４に示す試験装置を用い、音源として雑音（ピンクノイズ、９４．０ｄＢ）をスピーカーから発生させ、試験体である空調ダクト内へレジューサを介して放射し、試験体の出口端部においてサウンドレベルメーターで音圧レベルを測定した。
【００１７】
実施例のダクトの構成は次のとおりのものである。
ダクトの内径・長さ（１５０ｍｍφ・１００ｃｍ）
外被層：ポリエチレンフィルム（厚さ８０μｍ）
中間層：グラスウール（密度２０ｋｇ／ｍ3  、厚さ２５ｍｍ）
内被層：ポリエステル不織布（目付量４０ｇ／ｍ２）にポリエチレン系透湿防水シート（３０ｇ／ｍ２）をスプレー工法によって接着したもの（総厚さ０．２５ｍｍ）
上記内被層の透湿抵抗は、０．１０ｍ２・ｓ・Ｐa ／μｇであり、防水性は４５ｋＰａのものを用いた。
各層の積層態様：内被層は、図２に示すような補強部材を用いてそれに固定されている。外皮層、中間層及び内被層は、それぞれ互いに接着されておらず、両端部においてのみ各層を固定した。
【００１８】
比較例のダクトの構成は次のとおりのものである。
ダクトの内径・長さ（１５０ｍｍφ・１００ｃｍ）
外被層：ポリエチレンフィルム（厚さ８０μｍ）
中間層：グラスウール（密度２０ｋｇ／ｍ3  、厚さ２５ｍｍ）
内被層：ポリエステルフィルム（厚さ０．０２ｍｍ）
上記内被層の透湿抵抗は、５００ｍ２・ｓ・Ｐa ／μｇであり、防水性は１００ｋＰａのものを用いた。
各層の積層態様：実施例と同様である。
【００１９】
（結果）
実施例における減音量は１９．４ｄＢであったのに対し、比較例における減音量は１４．０ｄＢであり、実施例の吸音性の優位性が認められた。
【図面の簡単な説明】
【００２０】
【図１】本発明の実施の形態の一例である空調ダクト１を片側断面で示す側面図である。
【図２】内被層３０と補強部材４５の関係を示す拡大断面図である。
【図３】内被層３０と補強部材４５の関係を示す拡大断面図である。
【図４】消音性能評価試験に用いた試験装置を模式的に示す図である。
【符号の説明】
【００２１】
１  空調ダクト
１０  外被層
２０  中間層
３０  内被層
４０，４５  補強部材
【図１】
2008281276.tif 000003
【図２】
2008281276.tif 000004
【図３】
2008281276.tif 000005
【図４】
2008281276.tif 000006